(57)【要約】      （修正有）【課題】ページを開いた状態で通帳等の冊子状媒体を搬送路に沿って搬送するときに、開かれているページによって生じている冊子状媒体の状態を考慮した搬送制御を行い、搬送路における冊子状媒体の搬送精度を向上させることができる冊子状媒体処理装置を提供する。【解決手段】通帳処理ユニットは、一対の搬送ローラ３１〜３６を複数並べて形成した搬送路に沿って、ページを開いた通帳を搬送する。搬送部は、駆動モータであるパルスモータに駆動パルスを与える。磁気データ処理部は、搬送部が駆動モータを一定速度で回転駆動している状態で、磁気データの読取速度の変化を、搬送路に沿って搬送している通帳の搬送速度の変化として検出する。制御部は、検出した通帳の搬送速度の変化に応じて、搬送部による駆動モータの回転駆動を制御する。【選択図】図２
2012254859.tif 000002
【特許請求の範囲】
【請求項１】
一方が駆動モータにより回転駆動される駆動ローラで、他方が前記駆動ローラの回転に従動して回転する従動ローラである一対の搬送ローラを複数並べて形成した搬送路に沿って、開いた状態の冊子を前記一対の搬送ローラで挟持して搬送する冊子状媒体処理装置において、
前記駆動モータを回転駆動するモータ駆動部と、
前記モータ駆動部が前記駆動モータを一定速度で回転駆動している状態で、前記搬送路に沿って搬送している冊子の搬送速度の変化を検出する搬送速度変化検出部と、
前記搬送速度変化検出部が検出した冊子の搬送速度の変化に応じて、前記モータ駆動部による前記駆動モータの回転駆動を制御する駆動制御部と、を備えた冊子状媒体処理装置。
【請求項２】
前記搬送路に沿って搬送している開いた状態の冊子に貼付されている磁気ストライプに記録されている磁気データを読み取る磁気データ読取部を備え、
前記搬送速度変化検出部は、前記磁気データ読取部における磁気データの読取速度の変化を、前記搬送路に沿って搬送している冊子の搬送速度の変化として検出する、請求項１に記載の冊子状媒体処理装置。
【請求項３】
前記駆動制御部は、前記駆動制御情報記憶部から、前記搬送速度変化検出部が検出した冊子の搬送速度の変化パターンに応じて、前記モータ駆動部による前記駆動モータの駆動量を制御する、請求項１、または２に記載の冊子状媒体処理装置。
【請求項４】
前記搬送路における冊子の搬送速度の複数の変化パターンについて、それぞれ前記駆動制御部による前記駆動モータの回転駆動の制御データを対応づけた駆動制御情報を記憶する駆動制御情報記憶部を備え、
前記駆動制御部は、前記駆動制御情報記憶部から、前記搬送速度変化検出部が検出した冊子の搬送速度の変化パターンに対応する前記駆動モータの回転駆動の制御データを読み出し、ここで読み出した制御データに基づいて、前記モータ駆動部による前記駆動モータの回転駆動を制御する、請求項１〜３のいずれかに記載の冊子状媒体処理装置。
【請求項５】
前記駆動モータは、パルスモータであり、
前記駆動制御部は、前記モータ駆動部による前記パルスモータへの駆動パルス数を制御する、請求項１〜４のいずれかに記載の冊子状媒体処理装置。
【発明の詳細な説明】
【技術分野】
【０００１】
この発明は、金融機関が開設されている口座に対して発行した通帳等の冊子状媒体を受け付けると、この冊子状媒体を搬送して印字等にかかる各種処理を行う冊子状媒体処理装置に関する。
【背景技術】
【０００２】
従来、銀行等の金融機関は、口座を開設した利用者に対して、当該口座における取引の履歴を記帳する通帳を発行している。金融機関の店舗等に設置されている現金自動預け払い機（以下、ＡＴＭと言う。）や、記帳機等の自動機は、取引履歴を通帳に記帳する通帳処理ユニットを備えている。
【０００３】
利用者は、通帳処理ユニットの通帳挿入口に、通帳を開いた状態で挿入する。通帳を開くページは、取引履歴が印字されている最終印字行のページ（今回、取引履歴の印字を開始するページ）である。通帳処理ユニットは、通帳挿入口に挿入された通帳を一対の搬送ローラで挟持して搬送する。一対の搬送ローラは、一方が駆動モータにより駆動される駆動ローラであり、他方が駆動ローラの回転に従動して回転する従動ローラである。通帳の搬送路は、一対の搬送ローラを複数並べて構成している。通帳処理ユニットは、搬送路に沿って通帳を搬送し、この通帳の背表紙に貼付されている磁気ストライプに記録されている口座番号等の情報の読み取りにかかる処理（磁気データ読取処理）、通帳の開かれているページに対する取引履歴の印字にかかる処理（印字処理）、通帳のページを１枚捲るページ捲りにかかる処理（ページ捲り処理）等の各種処理を必要に応じて行う。
【０００４】
通帳処理ユニットは、印字処理や、ページ捲り処理等を適正に行うために、搬送路における通帳の搬送位置を精度よく制御する必要がある。通帳処理ユニットは、通帳を搬送する搬送路にセンサを配置し、このセンサで搬送路に沿って搬送している通帳の先端や後端等の位置を検知することで、この通帳の搬送路上の位置を検知している。センサが通帳の先端や後端等を検知する搬送路上の位置を、ここでは検知位置と言う。この検知位置は、搬送路上に１、または複数設けているが、搬送路全体をカバーしていない。このため、通帳を搬送する位置（処理位置）が、センサで検知することができない位置（非検知位置）であるときには、その直前に通帳を検知した検知位置から、搬送先になる今回の処理位置までの当該通帳の搬送量を算出し、ここで算出した搬送量だけ通帳を搬送する搬送制御を行っている（特許文献１等参照）。
【先行技術文献】
【特許文献】
【０００５】
【特許文献１】特開２００１−２２５５１８号公報
【発明の概要】
【発明が解決しようとする課題】
【０００６】
しかしながら、通帳は冊子状の媒体であるため、開かれているページによって、先端側が後端側に比べて厚い場合、先端側と後端側とが略同じ厚さである場合、先端側が後端側に比べて薄い場合等、その状態に変化が生じている。搬送時における搬送ローラと、通帳との間で生じる搬送抵抗やスリップの大きさが、この状態の相違によって変化する。その結果、搬送ローラを駆動する駆動モータの駆動量が一定であっても、搬送している通帳の状態（開かれているページ）によって、搬送路における通帳の実際の搬送量が異なる。
【０００７】
上述したように、通帳処理ユニットは、通帳を搬送する処理位置が非検知位置であるときには、その直前に通帳を検知した検知位置から、搬送先になる今回の処理位置までの当該通帳の搬送量を算出し、ここで算出した搬送量だけ通帳を搬送する搬送制御を行っている。すなわち、通帳処理ユニットは、処理位置が非検知位置であるとき、搬送路における通帳の状態を考慮した搬送制御を行っていなかった。このため、処理位置と、実際に通帳を搬送した搬送位置との間にずれが生じ、印字処理や、ページ捲り処理等が適正に行えず、失敗することがあった。
【０００８】
この発明の目的は、ページを開いた状態で通帳等の冊子状媒体を搬送路に沿って搬送するときに、開かれているページによって生じている冊子状媒体の状態を考慮した搬送制御を行い、搬送路における冊子状媒体の搬送精度を向上させることができる冊子状媒体処理装置を提供することにある。
【課題を解決するための手段】
【０００９】
この発明の冊子状媒体処理装置は、上記課題を解決し、その目的を達するために以下のように構成している。
【００１０】
この発明にかかる冊子状媒体処理装置は、一対の搬送ローラを複数並べて形成した搬送路に沿って、ページを開いた状態の冊子（例えば、金融機関が発行した通帳）を、この一対の搬送ローラで挟持して搬送する。一対の搬送ローラは、一方が駆動モータにより回転駆動される駆動ローラであり、他方がこの駆動ローラの回転に従動して回転する従動ローラである。
【００１１】
モータ駆動部は、駆動モータを回転駆動する。駆動モータは、例えばパルスモータであり、この場合、モータ駆動部は駆動モータ（パルスモータ）に駆動パルスを与える。搬送速度変化検出部は、モータ駆動部が駆動モータを一定速度で回転駆動している状態で、搬送路に沿って搬送している冊子の搬送速度の変化を検出する。モータ駆動部が駆動モータを一定速度で回転駆動しているとき、
（１）搬送ローラと、この搬送ローラが挟持している冊子との間における搬送抵抗やスリップが一定に保たれていると、冊子の搬送速度も一定になるが、
（２）搬送ローラと、この搬送ローラが挟持している冊子との間における搬送抵抗やスリップが変化すると、この変化に応じて冊子の搬送速度が速くなったり、遅くなったりする。
【００１２】
冊子は、開かれているページによって、先端側が後端側に比べて厚い場合、先端側と後端側とが略同じ厚さである場合、先端側が後端側に比べて薄い場合等、その状態に変化が生じる。冊子の状態の相違によって、搬送ローラと、この搬送ローラが挟持している冊子との間における搬送抵抗やスリップが変化する。この搬送抵抗やスリップの変化は、先端が一対の搬送ローラに突入するときや、冊子の背山が一対の搬送ローラを通過するとき等に顕著にあらわれる。そして、搬送ローラと、この搬送ローラが挟持している冊子との間における搬送抵抗やスリップの変化によって、駆動モータの駆動量が同じであっても、搬送路における冊子の搬送量が変化する。
【００１３】
駆動制御部は、搬送速度変化検出部が検出した冊子の搬送速度の変化に応じて、モータ駆動部による駆動モータの回転駆動を制御する。すなわち、駆動制御部は、駆動モータの駆動量に対する冊子の搬送量が、搬送ローラと、この搬送ローラが挟持している冊子との間における搬送抵抗やスリップの変化にともなって変化したときには、この変化に応じて駆動モータの駆動量を補正する制御を行う。したがって、ページを開いた状態で冊子を搬送路に沿って搬送するときに、開かれているページによって生じている冊子の状態を考慮した搬送制御が行え、搬送路における冊子の搬送精度を向上させることができる。
【００１４】
また、搬送路に沿って搬送している開いた状態の冊子に貼付されている磁気ストライプに記録されている磁気データを読み取る磁気データ読取部を備える装置であれば、磁気データ読取部における磁気データの読取速度の変化を、搬送路に沿って搬送している冊子の搬送速度の変化として検出することができる。
【００１５】
このように構成すれば、搬送路に沿って搬送されている冊子の搬送速度を検出するためのハード構成を追加する必要がなく、装置本体の大型化が防止できるとともに、コストアップも十分に抑えられる。
【００１６】
また、搬送路における冊子の搬送速度の複数の変化パターンについて、それぞれ駆動制御部による駆動モータの回転駆動の制御データを対応づけた駆動制御情報を駆動制御情報記憶部に記憶しておいてもよい。この場合、駆動制御部は、搬送速度変化検出部が検出した冊子の搬送速度の変化パターンに対応する制御データを駆動制御情報記憶部から読み出し、ここで読み出した制御データに基づいて、モータ駆動部による駆動モータの回転駆動を制御すればよい。
【００１７】
このように構成すれば、駆動制御部は、複雑な演算処理を行う必要がないので、その処理負荷が抑えられる。
【発明の効果】
【００１８】
この発明によれば、ページを開いた状態で冊子を搬送路に沿って搬送するときに、開かれているページによって生じている冊子の状態を考慮した搬送制御が行え、搬送路における冊子の搬送精度を向上させることができる。
【図面の簡単な説明】
【００１９】
【図１】通帳処理ユニットの主要部の構成を示すブロック図である。
【図２】通帳処理ユニットの内部構成を示す概略図である。
【図３】搬送路に沿って搬送する通帳の状態を例示する図である。
【図４】搬送路に沿って搬送する通帳の状態を例示する図である。
【図５】搬送路に沿って搬送する通帳の状態を例示する図である。
【図６】磁気データ処理部における磁気ストライプに記録されている磁気データの読み取りにかかる構成を示す概略図である。
【図７】搬送路に沿って搬送する通帳の状態と、磁気データの読み取り速度との対応を説明する図である。
【図８】搬送路に沿って搬送する通帳の状態と、磁気データの読み取り速度との対応を説明する図である。
【図９】搬送路に沿って搬送する通帳の状態と、磁気データの読み取り速度との対応を説明する図である。
【図１０】通帳処理ユニットの動作を示すフローチャートである。
【図１１】別の例にかかる搬送路に沿って搬送する通帳の状態と、磁気データの読み取り速度との対応を説明する図である。
【図１２】別の例にかかる搬送路に沿って搬送する通帳の状態と、磁気データの読み取り速度との対応を説明する図である。
【図１３】別の例にかかる搬送路に沿って搬送する通帳の状態と、磁気データの読み取り速度との対応を説明する図である。
【図１４】別の例にかかる搬送路に沿って搬送する通帳の状態と、磁気データの読み取り速度との対応を説明する図である。
【図１５】別の例にかかる搬送路に沿って搬送する通帳の状態と、磁気データの読み取り速度との対応を説明する図である。
【図１６】別の例にかかる搬送路に沿って搬送する通帳の状態と、磁気データの読み取り速度との対応を説明する図である。
【図１７】通帳挿入口に挿入された通帳が１冊であるか、複数冊であるかを判定する処理を示すフローチャートである。
【発明を実施するための形態】
【００２０】
以下、この発明の実施形態である通帳処理ユニットについて説明する。
【００２１】
図１は、この通帳処理ユニットの主要部の構成を示すブロック図である。また、図２は、この通帳処理ユニットの内部構成を示す概略図である。この通帳処理ユニット１は、図１に示すように、制御部２と、搬送部３と、検知部４と、磁気データ処理部５と、印字部６と、バーコード読取部７と、頁捲り部８と、通信部９と、を備えている。この通帳処理ユニット１は、銀行等の金融機関に設置される現金自動預け払い機（ＡＴＭ）や、記帳機等の自動機に組み込める。この通帳処理ユニット１は、利用者の通帳を受け付け、その通帳に対応する口座に対して過去に行われた取引も含めて、その時点で取引内容を印字していない取引毎に、その取引の取引内容を受け付けた通帳に印字する。
【００２２】
図１、および図２を参照しながら、各部の構成について説明する。制御部２は、通帳処理ユニット１本体各部の動作を制御する。制御部２は、ＣＰＵやメモリ（不揮発性メモリ、および揮発性メモリ）を有する。この制御部２が、この発明で言う駆動制御部、駆動制御情報記憶部にかかる構成を有する。
【００２３】
搬送部３は、搬送路に沿って通帳を搬送する。搬送路は、一対の搬送ローラ３１〜３６を複数並べて形成している、一対の搬送ローラ３１〜３６は、一方がパルスモータ（不図示）により回転駆動される駆動ローラ３１ａ〜３６ａであり、他方が駆動ローラ３１ａ〜３６ａの回転に従動して回転する従動ローラ３１ｂ〜３６ｂである。隣接する搬送ローラ３１〜３６の間隔は、ページを開いた状態の通帳の搬送方向における長さよりも短い。搬送部３は、通帳を、駆動ローラ３１ａ〜３６ａと従動ローラ３１ｂ〜３６ｂとで挟持して搬送する。搬送路は、通帳処理ユニット１本体正面に設けた通帳挿入口１２と、後述するページ捲り位置とを結んでいる。また、搬送路の途中には、後述する磁気データ読取位置、印字位置、光学データ読取位置等が設定されている。搬送部３は、制御部２からの指示にしたがって、パルスモータに駆動パルスを入力することにより、駆動ローラ３１ａ〜３６ａを回転駆動する。また、搬送部３は、駆動ローラ３１ａ〜３６ａの回転方向を切り替えることにより、通帳を通帳挿入口１２から通帳処理ユニット１本体内部に取り込む方向、および通帳処理ユニット１本体内部から通帳挿入口１２に排出する方向に搬送することができる。この搬送部３が、この発明で言うモータ駆動部にかかる構成を有する。
【００２４】
なお、ここでは、搬送路を６つの搬送ローラ３１〜３６で構成した例を示しているが、搬送路を形成する搬送路ローラの個数については、６つに限定されることはなく、いくつであってもよい。
【００２５】
検知部４は、搬送路を挟んで発光素子と受光素子とを対向させて配置した検知センサ４１〜４３を備えている。検知部４は、検知センサ４１〜４３により通帳の先端、または後端の通過を検知することで、搬送路における通帳の位置を検知する。検知部４は、検知センサ４１〜４３が通帳の先端と後端との間を検知しているとき、搬送路における通帳の位置を検知することはできない。図２に示す、検知センサ４１は、通帳が通帳挿入口１２に挿入されたかどうか、および通帳挿入口１２に排出した通帳取り出されたかどうかを検知する。検知センサ４２は、搬送路における磁気データ読み取り位置の手前側（通帳挿入口側）で、通帳の先端、および後端の通過を検知する。検知センサ４３は、搬送路の後端位置に通帳の先端が達したことを検知する。
【００２６】
なお、ここでは、検知センサ４１〜４３を搬送路に３つ配置した例を示しているが、その個数については、３つに限定されることはなく、いくつであってもよい。
【００２７】
磁気データ処理部５は、搬送路を搬送されている通帳に貼付されている磁気ストライプに当接し、この磁気ストライプに対する磁気データの読取や記録を行う磁気ヘッド５１を有している。この磁気ストライプには、対応する口座の口座番号等が記録されている。この磁気ヘッド５１を配置している位置が、磁気データ読取位置である。磁気ヘッド５１に対向配置しているローラ５２は、通帳に貼付されている磁気ストライプを磁気ヘッド５１に押圧する。ローラ５２は、上述したパルスモータによって回転駆動される駆動ローラであってもよいし、搬送路を搬送されている通帳との摩擦によって回転する従動ローラであってもよい。この磁気データ処理部５が、この発明で言う磁気データ読取部、および搬送速度変化検出部にかかる構成を有する。
【００２８】
印字部６は、搬送路を搬送されている通帳に対して取引内容を印字する印字ヘッド６１を有している。この印字ヘッド６１を配置している位置が、印字位置である。
【００２９】
バーコード読取部７は、搬送路を搬送されている通帳の開かれている頁に印刷されているバーコード（頁番号等）を読み取るバーコードリーダ７１を有している。このバーコードリーダ７１を配置している位置が、光学データ読取位置である。
【００３０】
頁捲り部８は、搬送路を搬送されている通帳の頁を捲る捲りローラ８１を有している。頁捲り部８は、捲りローラ８１を回転することにより、通帳の頁を捲る。
【００３１】
さらに、通信部９は、この通帳処理ユニット１を組み込んだＡＴＭや記帳機等の上位装置の主制御部（不図示）との間における通信を行う。
【００３２】
次に、搬送路に沿って搬送される通帳の状態と、磁気データ処理部５における磁気データの読取速度と、の関係について説明する。
【００３３】
通帳は、開いた状態で通帳挿入口１２に挿入される。このため、通帳は、開かれているページによって、先端側が後端側に比べて厚い場合（図３参照）、先端側と後端側とが略同じ厚さである場合（図４参照）、先端側が後端側に比べて薄い場合（図５参照）等、その状態に変化が生じる。図３〜図５において、通帳の先端側は右側である。また、図３〜図５に示すように、通帳の背山の形状も異なる。
【００３４】
図６は、磁気データ処理部における磁気ストライプに記録されている磁気データの読み取りにかかる構成を示す概略図である。磁気データは、公知のように磁気ストライプ上における磁化反転により磁気データを記録している。磁気データの読取は、この磁化反転の間隔を読み取ることで行える。磁気ヘッド５１は、アンプ５５に接続している。アンプ５５は、磁気ヘッド５１が磁気ストライプから読み取った磁化反転の信号を増幅し、出力する。波形整形回路５６は、アンプ５５の出力信号に対して波形整形を行う。データ読取回路５７は、波形整形回路５６が波形整形した信号から、磁気ストライプ上における磁化反転の間隔を読み取ることで、磁気ストライプに記録されている磁気データを読み取る。
【００３５】
ここで、通帳に貼付されている磁気ストライプにおける磁気データの記録密度は一定であるとする。この場合、磁気ヘッド５１上を通過する磁気ストライプの搬送速度が速くなるにつれて、磁気データの読み取り速度も速くなる。また、磁気データの読み取り速度の変化は、波形整形回路５６が波形整形した信号における磁化反転の間隔の変化によって検出できる。
【００３６】
例えば、図３に示す状態の通帳を搬送している場合、通帳の背山が搬送ローラ３２を通過するときに、通帳の搬送速度（磁気データの読み取り速度）が一時的に速くなる（図７参照）。また、図４に示す状態の通帳を搬送している場合、通帳の背山が搬送ローラ３２を通過するときに、通帳の搬送速度（磁気データの読み取り速度）がほとんど変化しない（図８参照）。また、図５に示す状態の通帳を搬送している場合、通帳の背山が搬送ローラ３２を通過するときに、通帳の搬送速度（磁気データの読み取り速度）が一時的に遅くなる（図９参照）。
【００３７】
この通帳の搬送速度が変化する原因は、搬送ローラ３２における背山の蹴飛ばしや、乗り越えによって、搬送ローラ３２と、通帳との間で生じる搬送抵抗やスリップの大きさが変化することである。また、搬送速度の変化は、搬送路における通帳の実際の搬送量の変化である。すなわち、パルスモータの駆動量に対する、通帳の実際の搬送量が変化している。
【００３８】
なお、ここでは、搬送部３が、パルスモータによる駆動ローラ３１ａ〜３６ａの回転速度を一定に制御しているものとして説明している。
【００３９】
上述したように、図７〜図９に示す搬送速度の変化パターン間では、パルスモータの回転量（パルスモータに入力した駆動パルス数）に対する実際の通帳の搬送量が異なる。この通帳処理ユニット１は、図７〜図９に示す搬送速度の変化パターン毎に、以下に示す駆動制御情報を制御部２の不揮発性メモリに記憶している。
【００４０】
駆動制御情報は、通帳を搬送する処理位置毎に、検知センサ４２が先端（または後端）を検知してから、通帳が処理位置に到達するまでに必要なパルスモータの駆動パルス数を対応づけた情報である。例えば、検知センサ４２が、通帳の後端を検知してから、その通帳をページ捲り位置まで搬送するのに必要なパルスモータの駆動パルス数や、検知センサ４２が、通帳の後端を検知してから、その通帳を印字位置まで搬送するのに必要なパルスモータの駆動パルス数等を対応づけている。また、この印字位置は、通帳の開かれているページの先頭行に印字するときの位置であり、駆動制御情報には、印字する行を１行下げるのに必要なパルスモータの駆動パルス数も含まれている。
【００４１】
なお、図７〜図９に示す各パターンの駆動制御情報は、上記の例に限らず、例えば図８に示すパターンを基準パターンとし、この基準パターンについて上述した駆動制御情報を記憶する。一方で、図７、および図９に示すパターンについては、処理位置毎に、基準パターンに対して追加、または減算するパルスモータの駆動パルス数を補正パルス数として対応づけた駆動制御情報を記憶してもよい。また、上記の補正パルス数は、基準パターンの駆動パルス数に対する割合（百分率）としてもよい。
【００４２】
図１０は、この通帳処理ユニットの動作を示すフローチャートである。通帳処理ユニット１は、検知部４において検知センサ４１が通帳挿入口１２に挿入された通帳を検知すると（ｓ１）、この通帳を搬送路に沿って搬送する（ｓ２）。通帳処理ユニット１は、磁気データ処理部５において、ｓ２で搬送を開始した通帳に貼付されている磁気ストライプに記録されている磁気データの読み取りを行う（ｓ３）。このとき搬送部３は、駆動ローラ３１ａ〜３６ａを回転駆動するパルスモータの回転速度を一定に制御している。
【００４３】
通帳処理ユニット１は、磁気データの読み取り時に波形整形回路５６が波形整形した信号から、通帳の搬送速度（磁気データの読み取り速度）の変化パターンが、上述した図７〜図９のいずれに対応するかを判断する（ｓ４）。
【００４４】
通帳処理ユニット１は、制御部２がｓ４で判断した通帳の搬送速度の変化パターンに応じた駆動制御情報を制御部２の不揮発性メモリから読み出す（ｓ５）。通帳処理ユニット１は、通帳に対する印字処理等を含む各種処理を実行する（ｓ６）。ｓ６では、今回通帳に貼付されている磁気ストライプから読み取った磁気データに基づき、この通帳に対応する口座番号等の情報を取得する。また、制御部２は、通帳を任意の搬送先（印字位置、光学データ読取位置、ページ捲り位置等）に搬送するとき、搬送部３に対して、ｓ５で読み出した駆動制御情報に基づいて、パルスモータに入力する駆動パルス数を指示する。したがって、搬送部３は、搬送している通帳の状態に応じて、この通帳を各処理位置に精度よく搬送することができる。すなわち、通帳処理ユニット１は、通帳の状態を考慮して、この通帳の搬送位置を制御することができ、搬送路における通帳の搬送精度を向上させることができる。
【００４５】
通帳処理ユニット１は、通帳に対する各種処理が完了すると、通帳の磁気ストライプに対する磁気データの書き込みを行う（ｓ７）。このとき、通帳処理ユニット１は、磁気ヘッド５１上を通過する磁気ストライプの搬送速度を一定にするため、駆動ローラ３１ａ〜３６ａと、従動ローラ３１ｂ〜３６ｂとの間隔を少し広げる。すなわち、通帳の背山が、搬送ローラ３１〜３６を通過するときの抵抗をなくし、通帳が一定速度で搬送されるようにしている。これにより、磁気ストライプの搬送方向における磁気データの記録密度を一定にできる。
【００４６】
通帳処理ユニット１は、通帳を通帳挿入口１２に排出する（ｓ８）。このとき、検知部４は検知センサ４１が通帳挿入口１２に排出した通帳を検知している。通帳処理ユニット１は、この通帳が抜き取られると（ｓ９）、本処理を終了する。ｓ９では、検知部４が検知センサ４１により通帳挿入口１２に排出した通帳を検知していない状態になると、この通帳が抜き取られたと判定する。
【００４７】
また、上記の例では、搬送部３が、駆動ローラ３１ａ〜３６ａを回転駆動するパルスモータの回転速度を一定に制御している状態で、搬送路における通帳の搬送速度の変化を磁気データ処理部５における磁気データの読取速度の変化によって検知する構成としているので、搬送路に沿って搬送されている通帳の搬送速度を検出するためのハード構成を別途設ける必要がなく、通帳処理ユニット１本体の大型化が防止できるとともに、コストアップも十分に抑えられる。
【００４８】
なお、搬送路に沿って搬送されている通帳の搬送速度を検出するためのハード構成を別途設ける構成であっても特に問題はない。また、上記の例では、制御部２の不揮発性メモリに駆動制御情報を記憶する、搬送速度の変化パターンを３つとしたが、図７や、図９において、搬送速度の変化を示す山や谷の大きさによって、搬送速度の変化パターンを４つ以上設定し、それぞれについて駆動制御情報を制御部２の不揮発性メモリに記憶するようにしてもよい。
【００４９】
次に、別の例にかかる通帳処理ユニット１について説明する。この通帳処理ユニット１も上述した図１、図２に示す構成である。
【００５０】
この通帳処理ユニット１は、図２に示す磁気ヘッド５１と搬送ローラ３３との間隔が、通帳に貼付されている磁気ストライプの搬送方向の長さよりも短い。したがって、磁気データ処理部５が磁気データの読み取りを行っているときに、搬送されている通帳の先端が搬送ローラ３３の駆動ローラ３３ａと従動ローラ３３ｂとの間に突入する。この突入時においても、搬送抵抗やスリップの大きさが変化する。
【００５１】
例えば、図３に示す状態の通帳を搬送している場合、通帳の背山が搬送ローラ３２を通過するときに、通帳の搬送速度（磁気データの読み取り速度）が一時的に速くなり、通帳の先端が搬送ローラ３３の駆動ローラ３３ａと従動ローラ３３ｂとの間に突入するときに遅くなる（図１１参照）。
【００５２】
また、図４に示す状態の通帳を搬送している場合、通帳の背山が搬送ローラ３２を通過するときに、通帳の搬送速度（磁気データの読み取り速度）がほとんど変化せず、通帳の先端が搬送ローラ３３の駆動ローラ３３ａと従動ローラ３３ｂとの間に突入するときに遅くなる（図１２参照）。
【００５３】
また、図５に示す状態の通帳を搬送している場合、通帳の背山が搬送ローラ３２を通過するときに、通帳の搬送速度（磁気データの読み取り速度）が一時的に遅くなり、通帳の先端が搬送ローラ３３の駆動ローラ３３ａと従動ローラ３３ｂとの間に突入するときにほとんど変化しない（図１３参照）。
【００５４】
通帳処理ユニット１は、上記の例と同様に、図１１〜図１３に示した搬送速度の変化パターン毎に、駆動制御情報を制御部２のメモリに記憶している。
【００５５】
この通帳処理ユニット１も、上述した図１０に示す処理を行う。この例にかかる通帳処理ユニット１は、通帳の背山が搬送ローラ３２を通過するときの搬送速度の変化だけでなく、通帳の先端が搬送ローラ３３の駆動ローラ３３ａと従動ローラ３３ｂとの間に突入するときの搬送速度の変化も加えて搬送している通帳の状態を判断している。したがって、搬送している通帳の状態の判断精度を向上させることができる。
【００５６】
また、この例にかかる通帳処理ユニット１は、以下のようにして、誤って通帳が複数冊（例えば２冊）重ねた状態で通帳挿入口１２に挿入されたことを検知するようにしてもよい。
【００５７】
例えば、図３に示す状態の通帳を、図４に示す状態の通帳の上に重ねた状態で通帳挿入口１２に挿入した場合、磁気データの読み取り速度は、図１４に示すように変化する。具体的には、２冊重ねられた通帳の背山が搬送ローラ３２を通過するときに、通帳の搬送速度（磁気データの読み取り速度）が一時的に速くなり、通帳の先端が搬送ローラ３３の駆動ローラ３３ａと従動ローラ３３ｂとの間に突入するときに遅くなる。また、この場合、図１１で示した状態に比べて、通帳の先端が搬送ローラ３３の駆動ローラ３３ａと従動ローラ３３ｂとの間に突入するときの通帳の搬送速度（磁気データの読み取り速度）の低下量が大きい。図１４では、この例にかかる搬送速度の変化を実線で示しており、図１１で示した例にかかる搬送速度の変化を破線で示している。
【００５８】
また、図４に示す状態の通帳を２冊重ねた状態で通帳挿入口１２に挿入した場合、磁気データの読み取り速度は、図１５に示すように変化する。具体的には、２冊重ねられた通帳の背山が搬送ローラ３２を通過するときは、通帳の搬送速度（磁気データの読み取り速度）がほとんど変化しないが、通帳の先端が搬送ローラ３３の駆動ローラ３３ａと従動ローラ３３ｂとの間に突入するとき、通帳の搬送速度（磁気データの読み取り速度）が遅くなる。また、この場合、図１２で示した状態に比べて、通帳の先端が搬送ローラ３３の駆動ローラ３３ａと従動ローラ３３ｂとの間に突入するときの通帳の搬送速度（磁気データの読み取り速度）の低下量が大きい。図１５では、この例にかかる搬送速度の変化を実線で示しており、図１２で示した例にかかる搬送速度の変化を破線で示している。
【００５９】
また、図５に示す状態の通帳を、図４に示す状態の通帳の上に重ねた状態で通帳挿入口１２に挿入した場合、磁気データの読み取り速度は、図１６に示すように変化する。具体的には、２冊重ねられた通帳の背山が搬送ローラ３２を通過するとき、および、通帳の先端が搬送ローラ３３の駆動ローラ３３ａと従動ローラ３３ｂとの間に突入するとき、通帳の搬送速度（磁気データの読み取り速度）がともに遅くなる。
【００６０】
このことから、通帳の背山が搬送ローラ３２を通過するとき、および、通帳の先端が搬送ローラ３３の駆動ローラ３３ａと従動ローラ３３ｂとの間に突入するとき、通帳の搬送速度（磁気データの読み取り速度）がともに遅くなる場合や、通帳の先端が搬送ローラ３３の駆動ローラ３３ａと従動ローラ３３ｂとの間に突入するときにおける通帳の搬送速度（磁気データの読み取り速度）の低下が大きいときに、誤って通帳が複数冊（例えば２冊）重ねた状態で通帳挿入口１２に挿入されたと判断できる。
【００６１】
なお、通帳の先端が搬送ローラ３３の駆動ローラ３３ａと従動ローラ３３ｂとの間に突入するときにおける通帳の搬送速度（磁気データの読み取り速度）の低下の大きさについて、通帳が複数冊であるかどうかを判定する大きさ（所謂、閾値）を予め設定しておけばよい。この閾値は、通帳が一冊である場合に、通帳の先端が搬送ローラ３３の駆動ローラ３３ａと従動ローラ３３ｂとの間に突入するときに生じる通帳の搬送速度の低下の最大値よりも少し大きくすればよい。
【００６２】
図１７は、通帳処理ユニットにおける、通帳挿入口に挿入された通帳が１冊であるか、複数冊であるかを判別する処理を示すフローチャートである。
【００６３】
この処理は、図１０に示したｓ４に組み込めばよい。通帳処理ユニット１は、磁気データの読み取り速度が２箇所で低下しているかどうか（ｓ１１）、および磁気データの読み取り速度の低下が予め設定した大きさよりも大きい箇所があるかかどうか（ｓ１２）を判定する。ｓ１１、ｓ１２にかかる判定は、順番を入れ替えてもよい。
【００６４】
ｓ１１は、通帳の背山が搬送ローラ３２を通過するとき、および、通帳の先端が搬送ローラ３３の駆動ローラ３３ａと従動ローラ３３ｂとの間に突入するときの両方で、磁気データの読み取り速度が低下したかどうかを判定している。すなわち、磁気データの読み取り速度が、図１５に示したパターンであるかどうかを判定している。
【００６５】
また、ｓ１２は、図１４、または図１６に示したいずれかのパターンであるかを判定している。
【００６６】
通帳処理ユニット１は、ｓ１１で磁気データの読み取り速度が２箇所で低下していると判定した場合、またはｓ１２で磁気データの読み取り速度の低下が予め設定した大きさよりも大きい箇所があると判定した場合、複数冊の通帳が重なっていると判断し、エラー処理を行う（ｓ１３）。一方、通帳処理ユニット１は、ｓ１１で磁気データの読み取り速度が２箇所で低下していないと判定し、且つｓ１２で磁気データの読み取り速度の低下が予め設定した大きさよりも大きい箇所がないと判定した場合、上述した図１０に示すｓ５以降の処理を行う。
【００６７】
このように、この例にかかる通帳処理ユニット１は、誤って通帳が複数冊（例えば２冊）重ねられた状態で通帳挿入口１２に挿入されときに、そのことを検知することができる。したがって、通帳処理ユニット１の搬送路が破損する等の事態の発生が抑えられる。
【００６８】
なお、上記の説明では、本願発明を、通帳処理ユニットに適用した場合を例にして説明したが、これに限らず、冊子状の媒体を搬送し、この冊子状の媒体に対して処理を行う装置であれば、他の種類の装置にも適用できる。
【符号の説明】
【００６９】
１…通帳処理ユニット
２…制御部
３…搬送部
４…検知部
５…磁気データ処理部
６…印字部
７…バーコード読取部
８…頁捲り部
９…通信部
３１〜３６…搬送ローラ
３１ａ〜３６ａ…駆動ローラ
３１ｂ〜３６ｂ…従動ローラ
４１〜４３…検知センサ
５１…磁気ヘッド
５２…ローラ
５５…アンプ
５６…波形整形回路
５７…データ読取回路
６１…印字ヘッド
【図１】
2012254859.tif 000003
【図２】
2012254859.tif 000004
【図３】
2012254859.tif 000005
【図４】
2012254859.tif 000006
【図５】
2012254859.tif 000007
【図６】
2012254859.tif 000008
【図７】
2012254859.tif 000009
【図８】
2012254859.tif 000010
【図９】
2012254859.tif 000011
【図１０】
2012254859.tif 000012
【図１１】
2012254859.tif 000013
【図１２】
2012254859.tif 000014
【図１３】
2012254859.tif 000015
【図１４】
2012254859.tif 000016
【図１５】
2012254859.tif 000017
【図１６】
2012254859.tif 000018
【図１７】
2012254859.tif 000019